【事件の表示】
　特願２０１３−１０６２８８「送信時間間隔ごとに複数のハイブリッド自動再送要求プロセスをサポートする方法およびシステム」拒絶査定不服審判事件〔平成２５年　８月２９日出願公開、特開２０１３−１６９００８〕について、次のとおり審決する。
【結　論】
　本件審判の請求は、成り立たない。
【理　由】
第１　手続の経緯
　本願は、２００７年（平成１９年）２月１日（パリ条約による優先権主張外国庁受理２００６年２月３日　米国、２００６年８月２３日　米国）を国際出願日とする特願２００８−５５３３５７号の一部を、平成２３年１１月１１日に新たな特許出願とした特願２０１１−２４７５１７号の一部を、平成２５年５月２０日に更に新たな特許出願としたものであり、その手続の経緯は、概略、以下のとおりである。 
平成２７年　１月１６日付け：拒絶理由通知書 
平成２７年　５月２０日：　　意見書、手続補正書の提出
平成２７年１０月１９日付け：拒絶理由（最後の拒絶理由）通知書
平成２８年　４月２７日：　　意見書、手続補正書の提出
平成２８年　６月１６日付け：平成２８年４月２７日の手続補正についての　　　　　　　　　　　　　　補正の却下の決定、拒絶査定
平成２８年１０月２１日：　　拒絶査定不服審判の請求、手続補正書の提出
平成２９年１０月１７日付け：拒絶理由通知書 
平成３０年　２月２３日：　　意見書、手続補正書の提出 
第２　本願発明
　平成３０年２月２３日に提出された手続補正書によって補正された特許請求の範囲の請求項１（以下「本願発明」という。）は、以下のとおりである。
「　無線送信／受信ユニット（ＷＴＲＵ）であって、
　直交周波数分割多元（ＯＦＤＭ）信号上でロングタームエヴォルーション（ＬＴＥ）物理層サブフレームを受信するように構成された回路であり、前記ＬＴＥ物理層サブフレームは複数の時間領域単位および複数の周波数領域単位に分割されており、前記ＬＴＥ物理層サブフレームは、複数の時間領域および周波数領域単位を含むデータ部と、複数の時間領域および周波数領域単位を含む制御部と、前記制御部の時間領域および周波数領域単位および前記データ部の時間領域および周波数領域単位に点在された参照信号とを含み、１つの送信時間間隔（ＴＴＩ）において複数の空間ストリームを介して複数の伝送ブロック（ＴＢ）が同時に受信される、前記回路を備え、
　前記制御部は、前記複数の時間領域単位のうちの少なくとも１つの第１の時間領域単位を含み、複数のＴＢの各ＴＢのための制御情報を搬送し、
　前記制御情報は、各ＴＢについての変調および符号化方式（ＭＣＳ）並びにＨＡＲＱ情報を含み、各ＴＢについての前記ＨＡＲＱ情報は重複バージョンを含み、
　前記データ部は、前記複数の時間領域単位のうちの他の時間領域単位を含み、前記複数のＴＢと、各ＴＢについての巡回冗長検査（ＣＲＣ）とを搬送し、
　前記制御情報を使用して前記複数のＴＢを処理するように構成された回路を備えた、
ＷＴＲＵ。」
第３　拒絶の理由
　平成２９年１０月１７日付けの当審が通知した拒絶理由（以下「当審拒絶理由」という。）のうちの理由２の概要は、次のとおりのものである。
「２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」であるところ、請求項１に対して下記引用例１、３、７−１０が引用されており、主引用例は引用例７である。
引用例１．国際公開第２００４／１０２８６３号 
引用例３.特開２００５−５７７５８号公報
引用例７．Nokia, OFDMA Downlink L1/L2 control signaling - text proposal, [online]，3GPP TSG RAN WG1 LTE Ad Hoc Meeting R1-060186, インターネット＜URL;http://www.3gpp.org/ftp/tsg_ran/wg1_rl1/TSGR1_AH/LTE_AH_0601/Docs/R1-060186.zip＞,２００６年１月１９日アップロード  
引用例８．Haitao Zheng et al., Multiple ARQ Processes for MIMO Systems, EURASIP Journal on Applied Signal Processing, Hindawi Publishing co., Cuyahoga falls, OH, US, vol. 5, 2004年５月１日
引用例９．Lucent Technologies, Signalling Support for Multiple Simultaneous Transmissions to a UE within a TTI, [online], 3GPP TSG-RAN WG1 and WG2 Adhoc on HSDPA, 12A010055, インターネット＜URL:http://www.3gpp.org/ftp/tsg_ran/wg1_rl1/TSGR1_AH/HSDPA_Ad_hoc/R1-R2_Joint_session/Docs/12A010055.zip＞,２００２年１月２８日アップロード
引用例１０．Texas Instruments, Multiplexing of UE Identities in the Shared Control Channel of EUTRA Downlink, [online], 3GPP TSG RAN WG1 Ad Hoc on LTE, R1-060064, インターネット＜URL;http://www.3gpp.org/ftp/tsg_ran/wg1_rl1/TSGR1_AH/LTE_AH_0601/Docs/R1-060064.zip＞、２００６年１月１９日アップロード
第４　引用例の記載及び引用発明
　１　引用例７の記載
　当審拒絶理由で引用した「引用例７．Nokia, OFDMA Downlink L1/L2 control signaling - text proposal, [online]，3GPP TSG RAN WG1 LTE Ad Hoc Meeting R1-060186, インターネット＜URL;http://www.3gpp.org/ftp/tsg_ran/wg1_rl1/TSGR1_AH/LTE_AH_0601/Docs/R1-060186.zip＞,２００６年１月１９日アップロード 」（以下「引用例７」という。）には、以下の事項が記載されている。（下線は、当審で付した。）
（１）　「Introduction
At the TSG-RAN #30 meeting 
OFDMA was selected as the downlink multiple access scheme for UTRA LTE.
・ Lower layer control signalling should be located towards the beginning of the subframe to permit fast access to the information and reduced buffering needs.
・ Lower layer control signalling should be located in the vicinity of downlink common pilot, both temporally and in frequency dimension
・ The overhead of lower layer control signalling must not become exceedingly big so as to seriously impact potential system capacity
　RAN WG1 has also discussed the types of L1/L2 control information that would be transmitted in downlink.  Table 1 shows one exemplary list from [1].
This document considers the multiplexing of downlink L1/L2 control information, particularly with the general principles stated above in mind.」(１ページ〜２ページ２行）
当審訳：
前書き
　ＴＳＧ−ＲＡＮ＃３０会議では、
ＯＦＤＭＡがＵＴＲＡ　ＬＴＥのダウンリンク多元接続方式として選択された。
　
・下位層制御シグナリングは、情報への高速アクセスとバッファリングの必要性を低減するために、サブフレームの先頭に配置する必要がある。
　・下位層制御シグナリングは、時間的及び周波数的ディメンションにおいて、ダウンリンク共通パイロットの近くに配置する必要がある。
　・下位層制御シグナリングのオーバーヘッドは、潜在的なシステム能力に深刻な影響を与えるように、非常に大きくなってはならない。
　ＲＡＮ　ＷＧ１は、ダウンリンクで送信されるＬ１／Ｌ２制御情報のタイプについても議論している。表１は［１］からの１つの例示的なリストを示す。
　この文書は、ダウンリンクＬ１／Ｌ２制御情報の多重化、特に上記の一般原則を念頭において検討する。
（２）　「7.1.1.2.1 Downlink data multiplexing
Both TDM and FDM are employed to map channel-coded, interleaved, and data-modulated information [Layer 3 information] onto OFDM time/frequency symbols.  The OFDM symbols can be organized into a number of resource blocks consisting of a number(M) of consecutive sub-carriers for a number(N) of consecutive OFDM symbols. 
T
he frequency and time allocations to map information for a certain UE to resource blocks is determined by the Node B scheduler and may e.g. depend on the frequency-selective CQI(channel-quality indication) reported by the UE to the Node B,
The channel-coding rate and the modulation scheme(possibly different for different resource blocks) are also determined by the Node B scheduler and may also depend on the reported CQI(time/frequency-domain link adaptation).
In addition to block-wise transmission, transmission on non-consecutive(scattered) sub-carriers is also to be supported as a means to maximize frequency diversity.」（３ページ３〜１５行）
当審訳：
７．１．１．２．１　ダウンリンクデータ多重化
　
チャネル符号化、インターリーブ及びデータ変調された情報［レイヤ３情報］をＯＦＤＭ時間／周波数シンボルにマッピングするために、ＴＤＭ及びＦＤＭの両方が使用される。ＯＦＤＭシンボルは、Ｎ個の連続するＯＦＤＭシンボルにわたる、Ｍ個の連続するサブキャリアからなる、多数のリソースブロックにまとめることができる。
　
特定のＵＥのための情報をリソースブロックにマッピングするための周波数及び時間の割り当ては、ノードＢスケジューラによって決定され、例えば、ＵＥによってノードＢに報告される周波数選択性ＣＱＩ（チャネル品質指示）に依存する
チャネル符号化率及び変調方式（おそらく、異なるリソースブロックに対して異なる）も、ノードＢスケジューラによって決定され、同様に報告されたＣＱＩ（時間／周波数ドメインリンク適応）に依存する。
　ブロック単位の送信に加えて、非連続的な（拡散した）サブキャリア上の送信もまた、周波数ダイバーシティを最大にする手段としてサポートされるべきである。
（３）　「7.1.1.2.2 Downlink reference-signal structure
The downlink reference signal(s) can be used for at least
- Downlink-channel-quality measurements
- Downlink channel estimation for coherent demodulation/detection at the UE
- Cell search and initial acquisition
The basic downlink reference-signal structure, consisting of known reference symbols, is illustrated in Figure 7.1.1.2.2-1.
Reference symbols(a.k.a. First reference symbols) are located in the first or second OFDM symbol of a sub-frame.
Additional reference symbols(a.k.a. Second reference symbols) may be located in a second OFDM symbol of the sub-frame
」（３ページ１６〜２５行）
当審訳：
７．１．１．２．２　ダウンリンク参照信号構造
　ダウンリンク参照信号は、少なくとも以下の目的のために用いられる。
−ダウンリンクチャネル品質測定
−ＵＥにおけるコヒーレントな復調／検出のためのダウンリンクチャネル推定
−セルサーチと初期取得
　既知の参照シンボルからなる基本的なダウンリンク参照信号構造を図７．１．１．２．２−１に示す。
　参照シンボル（”第１の参照シンボル”）は、サブフレームの第１又は第２のＯＦＤＭシンボル内に配置される。
　追加の参照シンボル（”第２の参照シンボル”）は、サブフレームの第２のＯＦＤＭシンボル内に配置されてもよい。
（図中の説明）
　−　周波数ドメインの詳細な参照シンボル密度は将来決定する。（この図では５０％）
　−　周波数ドメインの第１と第２の参照シンボル間のずれは将来決定する。
　−　
第１の参照シンボルは代替的にサブフレームの第１のＯＦＤＭシンボルに配置されてもよい。
　−　第２の参照シンボルの詳細な時間ドメインの位置は将来決定される。
　図７．１．１．２．２−１　ベーシック　ダウンリンク　参照信号構造（図はサブフレームごとに７ＯＦＤＭシンボルを仮定している）
（４）　「In the case that 
Layer 1 downlink control signaling(more specifically signaling or part of the signaling related to downlink and uplink scheduling) is located at the beginning of the corresponding sub-frame
Possible transmission of additional UE-specific downlink reference symbols are to be considered for dynamic beam forming or MIMO
It sould be possible to create multiple mutually orthogonal downlink reference signals.
- To support transmission using multiple TX antennas within one cell
- To allow for orthogonal reference signals between sectors and fixed beams of the same Node B.
Mutual orthogonality between reference signals may be achieved in either the frequency domain(reference symbols of different antennas/sectors/beams transmitted on different OFDM sub carriers within a given OFDM symbol) or in the code domain(reference symbols of different antenna/sectors/beams modulated by mutually orthogonal patterns).  Both alternatives are to be considered.
Means to have good correlation properties also between reference signals of cells of different Node B sould be considered.」（４ページ１９行〜３４行）
当審訳：
　
対応するサブフレームの先頭にレイヤ１ダウンリンク制御シグナリング（特に、ダウンリンク及びアップリンクスケジューリングに関連するシグナリング、又はシグナリングの一部）が配置される
　
動的ビームフォーミング又はＭＩＭＯのための、追加のＵＥ特有のダウンリンク参照シンボルの、予測される送信が検討される。
　互いに直交する複数のダウンリンク参照信号を生成することが可能でなければならない。
−１つのセル内で複数のＴＸアンテナを使用する送信をサポートする。
−同じノードＢの固定ビーム間、及びセクタ間の直交参照信号を可能にする。
　参照信号間の相互直交性は、周波数ドメイン（異なるアンテナ／セクタ／ビームの参照シンボルが、所与のＯＦＤＭシンボル内の異なるＯＦＤＭサブキャリア上で、送信される）又は、符号ドメイン（異なるアンテナ／セクタ／ビームの参照シンボルが、相互に直交するパターンによって変調される）により達成される。両方の選択肢を考慮する必要がある。
　異なるノードＢのセルの参照信号間についても、良好な相関特性を得る手段が考慮されるべきである。
（５）　「7.1.1.2.3 Multiplexing of L1/L2 control signaling
There are two types of L1 and L2 control signalling information:
・ Data associated signalling(e.g. shared channel resource allocation, transport format and hybrid ARQ information), which is associated with downlink data transmissions, 
・ Data-non-associated signalling(e.g. ACK/NACK due to uplink transmissions)
Both downlink and uplink resource allocations are indicated by downlink control signalling.
The L1/L2 control signalling channel is located in the first OFDM [and possibly second] symbol of the subframe.  This signalling channel is distributed across a pre-determined bandwidth.
Figure 7.1.1.2.3-1 depicts a multiplexing scheme for L1/L2 control signalling, data and pilot.
」（４ページ３５行〜５ページ）
当審訳：
７．１．１．２．３　Ｌ１／Ｌ２制御シグナリングの多重化
　Ｌ１及びＬ２制御シグナリング情報には２つのタイプがある。
・ダウンリンクデータ送信に関連するデータ関連シグナリング（例えば、共有チャネルリソース割り当て、トランスポートフォーマット及びハイブリッドＡＲＱ情報）
・データ非関連シグナリング（例えば、アップリンク送信の結果であるＡＣＫ／ＮＡＣＫ）
　ダウンリンク及びアップリングの両方のリソース割り当ては、ダウンリンク制御シグナリングによって示される。
　
Ｌ１／Ｌ２制御シグナリングチャネルは、サブフレームの第１のＯＦＤＭ［場合により、第２の］シンボルに位置する。このシグナリングチャネルは、所定の帯域幅にわたって分布される。
　図７．１．１．２．３−１に、Ｌ１／Ｌ２制御シグナリング、データ、パイロットの多重化方式を示す。
　図７．１．１．２．３−１　
Ｌ１／Ｌ２制御シグナリング、データ、パイロットの多重化方式
２　引用発明
（１）　上記１（１）に記載されているように、引用例７は、ＬＴＥのダウンリンク多元接続方式として選択されたＯＦＤＭＡ（Orthogonal Frequency-Division Multiple Access）のダウンリンクＬ１／Ｌ２制御シグナリングについての提案文書であり、ＯＦＤＭＡは、ＯＦＤＭ（Orthogonal Frequency Division Multiplexing)技術を用いた多元接続を意味することは技術常識といえる。
　そして、上記１（２）の第１段落の記載、上記１（３）の図７．１．１．２．２−１、及び上記１（５）の図７．１．１．２．３−１に示されるように、ＯＦＤＭ技術において、情報は、時間(time)方向及び周波数(frequency)方向に並べられる物理リソースといえる時間／周波数シンボルにマッピングされて伝送される。
　また、上記１（５）図７．１．１．２．３−１には、時間(time)方向の長さがサブフレーム(subframe)分の物理リソースを単位として、Ｕｓｅｒ　Ａ〜Ｅに対して、Ｌ１／Ｌ２制御シグナリング、データ、パイロットを多重化して伝送する事項が示されている。
　そして、ダウンリンクが、ノードＢから送信される信号をＵＥが受信する事項を意味すること、及びＵＥがダウンリンク信号を受信するための回路を備えることはいずれも技術常識であるから、
　引用例７には、「ＬＴＥに選択された、時間方向の長さがサブフレーム分のＯＦＤＭ技術における物理リソースを受信する回路を備えるＵＥ」が記載されているといえる。
（２）　上記１（１）の「・下位層制御シグナリングは、情報への高速アクセスとバッファリングの必要性を低減するために、サブフレームの先頭に配置する必要がある。」との記載、上記１（４）の「対応するサブフレームの先頭にレイヤ１ダウンリンク制御シグナリング（特に、ダウンリンク及びアップリンクスケジューリングに関連するシグナリング、又はシグナリングの一部）が配置される」との記載、及び、上記１（５）の「Ｌ１／Ｌ２制御シグナリングチャネルは、サブフレームの第１のＯＦＤＭ［場合により、第２の］シンボルに位置する。このシグナリングチャネルは、所定の帯域幅にわたって分布される。」との記載、並びに、上記１（５）の図７．１．１．２．３−１を踏まえると、引用例７には、「時間方向の長さがサブフレーム分の物理リソースの先頭部分が、Ｌ１／Ｌ２制御シグナリングに割り当てられ、また、先頭以外の部分が、Ｌ１／Ｌ２制御シグナリング以外の情報に割り当てられる」事項が記載されているといえる。
（３）　上記１（３）図７．１．１．２．２−１には、時間（横）方向、及び周波数（縦）方向に並べられた物理リソースにおいて、第１の参照シンボル「Ｒ１」及び第２の参照シンボル「Ｒ２」が点在するように配置されている事項が示されている。
　また、前記図７．１．１．２．２−１の（図中の説明）の「−　第１の参照シンボルは代替的にサブフレームの第１のＯＦＤＭシンボルに配置されてもよい。」との記載から、引用例７には、サブフレームの第１のＯＦＤＭシンボル、すなわち、サブフレームの先頭部分に第１の参照シンボルが配置される事項が記載されているといえるから、引用例７には、「Ｌ１／Ｌ２制御シグナリングに割り当てられる、時間方向の長さがサブフレーム分の物理リソースの先頭部分において、第１の参照シンボルが点在し、また、Ｌ１／Ｌ２制御シグナリング以外の情報に割り当てられる前記物理リソースの先頭以外の部分において、第２の参照シンボルが点在する」事項が記載されているといえる。
（４）　上記１（５）のＬ１／Ｌ２制御シグナリングについての「・ダウンリンクデータ送信に関連するデータ関連シグナリング（例えば、共有チャネルリソース割り当て、トランスポートフォーマット及びハイブリッドＡＲＱ情報）」との記載から、ＵＥの回路は「Ｌ１／Ｌ２制御シグナリングとしてハイブリッドＡＲＱ情報を受信し」ているといえる。
（５）　上記１（４）の「動的ビームフォーミング又はＭＩＭＯのための、追加のＵＥ特有のダウンリンク基準シンボルの、予測される送信が検討される。」との記載から、ＵＥは、「ＭＩＭＯを前提としている」といえる。
（６）　上記１（２）の第２段落の記載によると、ＵＥが受信するダウンリンクデータは、報告されたＣＱＩに基づいて、ノードＢスケジューラによって決定されたチャネル符号化率及び変調方式により符号化・変調されたものであるから、引用例７には、「受信するダウンリンクデータのチャネル符号化率及び変調方式がノードＢスケジューラによって決定される」事項が記載されているといえる。
　以上を踏まえると、引用例７には、以下の発明が記載されている（以下「引用発明」という。）と認める。
「ＭＩＭＯを前提とし、
　ＬＴＥに選択された、時間方向の長さがサブフレーム分のＯＦＤＭ技術における物理リソースを受信する回路を備えるＵＥであって、
　前記時間方向の長さがサブフレーム分の物理リソースの先頭部分が、Ｌ１／Ｌ２制御シグナリングに割り当てられ、また、先頭以外の部分がＬ１／Ｌ２制御シグナリング以外の情報に割り当てられ、
　Ｌ１／Ｌ２制御シグナリングに割り当てられる、前記時間方向の長さがサブフレーム分の物理リソースの先頭部分において、第１の参照シンボルが点在し、また、Ｌ１／Ｌ２制御シグナリング以外の情報に割り当てられる前記時間方向の長さがサブフレーム分の物理リソースの先頭以外の部分において、第２の参照シンボルが点在し、
　前記回路が、Ｌ１／Ｌ２制御シグナリングとしてハイブリッドＡＲＱ情報を受信し、
　受信するダウンリンクデータのチャネル符号化率及び変調方式がノードＢスケジューラによって決定される
　ＵＥ。」
　３　公知技術
（１）　当審拒絶理由で引用した「引用例１．国際公開第２００４／１０２８６３号」（以下「引用例１」という。）には以下の事項が記載されている。（下線は、当審で付した。）
　ア　「Further, 
a HS-DSCH (High-Speed Downlink Shared Channel) is preferably operated over a MIMO environment.
multiple different data streams are simultaneously transmitted via multiple transmit antennas during one TTI (Transmission Time Interval).
当審訳：
　さらに、
ＨＳ−ＤＳＣＨ（High-Speed Downlink Shared Channel）が、ＭＩＭＯ環境上で動作することが望ましい。
多数の異なるデータストリームが１つのＴＴＩ（Transmission Time Interval）の期間、多数の伝送アンテナを介して同時に伝送される。
　
　イ　「Further, each transmitter antenna has an independent modulation and coding scheme (mcs). 」
当審訳：
　さらに、各送信器アンテナは独立的な変調及びコーディングスキーム（ｍｃｓ）を有する。
　ウ　「Turning next to FIG. 6, which illustrates an alternative arrangement of the process in FIG 3. In this alternative, N transport blocks arrive at the multiplexing chain every TTI, where Ν denotes the number of simultaneously transmitted data streams. Thus, each segmented block has a separate attached CRC, which enables independent retransmission control. Then, a spatial distribution block 310 distributes the received segmented blocks into the N branches, and each segmented block goes through the same multiplexing chain for HS-DSCH as in FIG 3. Further, because only  the erroneous segmented block of the transport block (rather than all of the segmented blocks) has to be retransmitted, the retransmission process is efficiently performed.  However, the uplink ACK/NACK signal per stream is needed for the retransmission process. From the viewpoint of the CQI definition, a same CQI mapping table can be used for each data stream. In addition, after the spatial distribution block 310, the multiplexing chain can be used in multiple without modifications. However, the amount of information required for the HS-DSCH transmission is increased N times.」（２１ページ１８行〜２２ページ７行）
当審訳：
　次の図６には、図３のプロセスの代案的な仕組みが図示されている。このような代案において、
Ｎ伝送ブロックはＴＴＩ毎にマルチプレキシングチェーンに到達する。ここで、Ｎは同時に伝送されたデータストリームの数を表す。
各分割されたブロックは独立な再送制御を可能にする別個の付加ＣＲＣを備える。
　エ　FIG. 6（図６）
（２）　当審拒絶理由で引用した「引用例８．Haitao Zheng et al., Multiple ARQ Processes for MIMO Systems, EURASIP Journal on Applied Signal Processing, Hindawi Publishing co., Cuyahoga falls, OH, US, vol. 5, 2004年５月１日」（以下「引用例８」という。）には以下の事項が記載されている。（下線は、当審で付した。）
　ア　「For per-antenna MIMO encoding architectures, we herein propose to employ multiple ARQ processes, 1 for each substream radiated from 1 transmit antenna or group of antennas.  This scheme is independent of the receiver-processing algorithm and only requires that the receiver decodes substreams independently.  We refer to this scheme as MIMO multiple ARQ(MMARQ).  
As shown in Figure 3b, a CRC symbol is appended to each substream.
当審訳：
　アンテナ毎のＭＩＭＯエンコーディングアーキテクチャのために、我々は、ここで、１つが、１つの送信アンテナ又はアンテナのグループから放射される、それぞれのサブストリームに対応する、多重ＡＲＱプロセスを採用することを提案する。この方式は、受信機が実行するアルゴリズムとは独立し、受信機にサブストリームを独立にデコードすることのみを要求する。我々は、
この方式をＭＩＭＯ多重ＡＲＱ（ＭＭＡＲＱ）と呼ぶ。図３ｂに示されるように、ＣＲＣシンボルは各サブストリームに付加される。受信機では、それぞれの、そのようなサブストリームが復号され、関連するＣＲＣがコンテンツを検証するために使用される。
　イ　
当審訳：
（ａ）　ＭＳＡＲＱ送信機。　（ｂ）ＭＭＡＲＱ送信機。
図３：ＭＳＡＲＱとＭＭＡＲＱの送信機構造
　ウ　
当審訳：
図５：ＭＭＡＲＱ受信器フローチャート
（３）　引用例１の上記（１）ア、ウ、エの記載、引用例８の上記（２）ア〜ウの記載、及び、伝送される多数のデータストリームが受信側の機器によって受信されることが技術常識であることによれば、以下の技術事項は公知技術と認められる。
　「ＭＩＭＯ環境上で動作し、１つのＴＴＩの間、多数の伝送アンテナを介して同時に伝送される、各伝送ブロックにＣＲＣが付加された複数の伝送ブロックの各伝送ブロックに対応した複数のストリームを受信する受信側の機器。」
　４　周知事項
（１）　当審拒絶理由で引用した「引用例３.特開２００５−５７７５８号公報 」（以下「引用例３」という。）には、以下の事項が記載されている。（下線は、当審で付した。）
　「【００５５】
　以下、例として、添付図面を参照しながら本発明が説明される。
【発明を実施するための最良の形態】
【００５６】
　本発明の実施例を説明する前に、ＨＳＤＰＡシステムにおける通信を説明するための概略図である図９が参照される。
【００５７】
　
ダウンリンク伝送に関し、
高速共用制御チャネルＨＳ−ＳＣＣＨは、
ＭＣＳレベル
ＨＳ−ＳＣＣＨはＨＡＲＱ関連情報も搬送する。このＨＡＲＱ情報は、
冗長性バージョン、
を含む。
【００５８】
　アップリンク伝送は、高速専用物理制御チャネル（フィードバックチャネル）ＨＳ−ＤＰＣＣＨを用いて行なわれる。このチャネルは、チャネル品質インジケータ（ＣＱＩ）値及びＨＡＲＱ確認応答（ＡＣＫ／ＮＡＣＫ）を送信するために使用される。」
（２）　当審拒絶理由で引用した「引用例９．Lucent Technologies, Signalling Support for Multiple Simultaneous Transmissions to a UE within a TTI, [online], 3GPP TSG-RAN WG1 and WG2 Adhoc on HSDPA, 12A010055, インターネット＜URL:http://www.3gpp.org/ftp/tsg_ran/wg1_rl1/TSGR1_AH/HSDPA_Ad_hoc/R1-R2_Joint_session/Docs/12A010055.zip＞,２００２年１月２８日アップロード」（以下「引用例９」という。）には次の事項が記載されている。（下線は、当審で付した。）
「Proposed Changes to TR 25.858
5.1 Transport block concatenation and code block segmentation
（省略）
5.2 CRC Attachment
（省略）
7.2 Physical layer aspects of Hybrid ARQ
The following signalling is needed to support Hybrid ARQ.  The details of signalling are described in Section 9.
Downlink Signaling
The HARQ information includes the Hybrid ARQ process identifier in the corresponding HS-DSCH TTI.  
The HARQ information also includes information about the redundancy version of the transmission in the corresponding HS-DSCH TTI
当審訳：
　ＴＲ　２５．８５８への提案された変更
５．１　伝送ブロック連結とコードブロック・セグメンテーション
（省略）
５．２　ＣＲＣアタッチメント
（省略）
７．２　ハイブリッドＡＲＱの物理層側面
次のシグナリングがハイブリッドＡＲＱをサポートするために必要となる。シグナリングの詳細はセクション９で説明される。
ダウンリンク・シグナリング
　ＨＡＲＱ情報は、関連するＨＳ−ＤＳＣＨ　ＴＴＩ中のハイブリッドＡＲＱプロセス識別子を含む。
ＨＡＲＱ情報は、関連するＨＳ−ＤＳＨ　ＴＴＩ中の、伝送の重複バージョンも含む。
（３）　当審拒絶理由で引用した「引用例１０．Texas Instruments, Multiplexing of UE Identities in the Shared Control Channel of EUTRA Downlink, [online], 3GPP TSG RAN WG1 Ad Hoc on LTE, R1-060064, インターネット＜URL;http://www.3gpp.org/ftp/tsg_ran/wg1_rl1/TSGR1_AH/LTE_AH_0601/Docs/R1-060064.zip＞、２００６年１月１９日アップロード 」（以下「引用例１０」という。）には、以下の事項が記載されている。（下線は、当審で付した。）
「Similarly to HSDPA, for both EUTRA DL and UL scheduling, 
the SCCH may comprise of two parts for each UE.  For example, one part can be for the channel dependent scheduling and the modulation scheme and the other for the transport block size and the HARQ.
（中略）
The second part is expected to have very similar signaling bits requirements as the corresponding SCCH part in HSDPA where 6 bits are needed for the transport block size, 3 bits for the HARQ process, 
3 bits for the redundancy version
当審訳：
　ＨＳＤＰＡと同様に、ＥＵＴＲＡ　ＤＬとＵＬスケジューリング両方のために、
ＳＣＣＨはそれぞれのＵＥのための２つの部分から構成されてもよい。例えば、一の部分はチャネル依存スケジューリングと変調方式のためのもので、他は伝送ブロックサイズとＨＡＲＱのためのものにできる。
（中略）
　２番目の部分は、トランスポートブロックサイズに６ビット、ＨＡＲＱプロセスに３ビット、
重複バージョンに３ビット、
（４）「3GPP TR25.848 V4.0.0(2001-03)、3rd Generation Partnership Project; Technical Specification Group Radio Access Network; Physical layer aspects of UTRA High Speed Downlink Packet Access (Release 4)、[online] インターネット＜URL;http://www.3gpp.org/ftp/Specs/archive/25_series/25.848/25848-400.zip＞、１８ページ、２００１年４月５日アップロード」には、以下の事項が記載されている。（下線は、当審で付した。）
　「6.6.2 Associated Downlink signaling
Associated downlink physical signalling may include, but may not be restricted to:
- identifying the UE(s) to which HSDPA data is transmitted in a given HSDPA TTI.
- identifying which HSDPA codes are assigned to a UE in a given HSDPA TTI(if sharing in the code domain, i.e. code multiplexing is to be supported for HSDPA transmission)
-
 identifying modulation and coding scheme used for HSDPA transmission in a given HSDPA TTI.
当審訳：
６．２．２　関連ダウンリンクシグナリング
関連するダウンリンク物理シグナリングは、以下を含むことができるが、これに限定されない。
−　所与のＨＳＤＰＡ　ＴＴＩにおいて、ＨＳＤＰＡデータが送信されるＵＥを識別する。
−　所与のＨＳＤＰＡ　ＴＴＩにおいて、どのＨＳＤＰＡコードがＵＥに割り当てられているかを識別する（コードドメイン内で共有する場合、例えば、ＨＳＤＰＡ送信のためにコード多重化がサポートされる場合）
−　
所与のＨＳＤＰＡ　ＴＴＩにおけるＨＳＤＰＡ送信に使用される変調及び符号化方式を識別する。
（５）　上記３（１）イ、上記（１）、（４）の記載、及び上記（１）〜（３）の記載から、「制御情報に変調及び符号化方式（ＭＣＳ）を含めること」、及び「制御情報のＨＡＲＱ情報として重複バージョンを含めること」はいずれも周知事項と認める。
第５　対比 
　本願発明と引用発明を対比すると、以下のとおりとなる。
　１　ＬＴＥの属する無線通信の技術分野において、ＵＥは、ダウンリンクデータを受信し、アップリンクデータを送信する機能を有しているから、引用発明の「ＵＥ」は、「無線送信／受信ユニット（ＷＴＲＵ）」といえる。
　また、引用発明の「ＬＴＥに選択された、時間方向の長さがサブフレーム分のＯＦＤＭ技術における物理リソース」は、直交周波数分割多元（ＯＦＤＭ）信号上の「ロングタームエヴォルーション（ＬＴＥ）物理層サブフレーム」といえるから、引用発明の「ＬＴＥに選択された、時間方向の長さがサブフレーム分のＯＦＤＭ技術における物理リソースを受信する回路を備える」ＵＥは、「直交周波数分割多元（ＯＦＤＭ）信号上でロングタームエヴォルーション（ＬＴＥ）物理層サブフレームを受信するように構成された回路」を備えたＷＴＲＵである点で本願発明と一致する。
　２　引用発明の「ＬＴＥに選択された、時間方向の長さがサブフレーム分のＯＦＤＭ技術における物理リソース」は、上記第４　１（３）の図７．１．１．２．２−１から明らかなように、時間（横）方向及び周波数（縦）方向に並べられた単位物理リソースから構成されているから、「複数の時間領域単位および複数の周波数領域単位に分割されて」いるといえる点で本願発明と一致する。
　３　引用発明の「ＬＴＥに選択された、時間方向の長さがサブフレーム分のＯＦＤＭ技術における物理リソース」はＬＴＥ物理層サブフレームといえ、時間方向の長さがサブフレーム分の物理リソースの先頭部分は、Ｌ１／Ｌ２制御シグナリングに割り当てられているから、制御部といえ、また、先頭以外の部分はデータ部といえるから、引用発明は、「ＬＴＥ物理層サブフレームは、複数の時間領域および周波数領域単位を含むデータ部と、複数の時間領域および周波数領域単位を含む制御部と、前記制御部の時間領域および周波数領域単位および前記データ部の時間領域および周波数領域単位に点在された参照信号とを含む」といえる点で本願発明と一致する。
　４　ＭＩＭＯは、所定の送信時間間隔において、複数の空間ストリームを介してデータを同時に送受信する技術であるから、ＭＩＭＯを前提とした引用発明のＵＥが備える回路は、受信するデータが複数の伝送ブロックであるとは特定されていないものの、「１つの送信時間間隔（ＴＴＩ）において複数の空間ストリームを介してデータが同時に受信される」点で本願発明と共通する。」
　５　引用発明の、制御部といえる、Ｌ１／Ｌ２制御シグナリングに割り当てられた前記時間方向の長さがサブフレーム分の物理リソースの先頭部分は、「複数の時間領域単位のうちの少なくとも１つの第１の時間領域単位」といえ、また、データ部といえる先頭以外の部分は、「複数の時間領域単位のうちの他の時間領域単位」といえるから、引用発明は「制御部は、複数の時間領域単位のうちの少なくとも１つの第１の時間領域単位を含み、」また、「データ部は、前記複数の時間領域単位のうちの他の時間領域単位を含み、」といえる点で本願発明と一致する。
　６　引用発明のＵＥが備える回路が受信する「Ｌ１／Ｌ２制御シグナリングとしてハイブリッドＡＲＱ情報」は、受信したデータに対してＨＡＲＱ処理を行うためのＨＡＲＱ情報といえるから、引用発明の、制御部といえる、Ｌ１／Ｌ２制御シグナリングに割り当てられた前記時間方向の長さがサブフレーム分の物理リソースの先頭部分は、受信するデータが複数のＴＢの各ＴＢとは特定されておらず、またＨＡＲＱ情報が重複バージョンを含む点が特定されていないものの、「データのための制御情報を搬送し、前記制御情報は、データのためのＨＡＲＱ情報を含」む点で本願発明と共通し、また、引用発明のＵＥが備える回路は、処理の対象となるデータが複数のＴＢと特定されていないものの、「前記制御情報を使用して前記データを処理するように構成され」ている点で本願発明と共通する。
　７　ハイブリッドＡＲＱ処理において、伝送されるデータにＣＲＣが付加される必要があることは技術常識であるから、「回路が、Ｌ１／Ｌ２制御シグナリングとしてハイブリッドＡＲＱ情報を受信」する引用発明において、伝送されるデータにはＣＲＣが付加されたものといえ、引用発明のデータ部といえる、Ｌ１／Ｌ２制御シグナリング以外の情報に割り当てられた時間方向の長さがサブフレーム分の物理リソースの先頭以外の部分は、データが複数のＴＢと特定されていないものの、「データと、データについての巡回冗長検査（ＣＲＣ）とを搬送し、」といえる点で本願発明と共通する。
　以上を踏まえると、本願発明と引用発明とは、
「無線送信／受信ユニット（ＷＴＲＵ）であって、
　直交周波数分割多元（ＯＦＤＭ）信号上でロングタームエヴォルーション（ＬＴＥ）物理層サブフレームを受信するように構成された回路であり、前記ＬＴＥ物理層サブフレームは複数の時間領域単位および複数の周波数領域単位に分割されており、前記ＬＴＥ物理層サブフレームは、複数の時間領域および周波数領域単位を含むデータ部と、複数の時間領域および周波数領域単位を含む制御部と、前記制御部の時間領域および周波数領域単位および前記データ部の時間領域および周波数領域単位に点在された参照信号とを含み、１つの送信時間間隔（ＴＴＩ）において複数の空間ストリームを介してデータが同時に受信される、前記回路を備え、
　前記制御部は、前記複数の時間領域単位のうちの少なくとも１つの第１の時間領域単位を含み、データのための制御情報を搬送し、
　前記制御情報は、データについてのＨＡＲＱ情報を含み、
　前記データ部は、前記複数の時間領域単位のうちの他の時間領域単位を含み、前記データと、データについての巡回冗長検査（ＣＲＣ）とを搬送し、
　前記制御情報を使用して前記データを処理するように構成された回路を備えた、
　ＷＴＲＵ。」である点で一致し、以下の点で相違する。 
相違点
　本願発明が備える回路は、１つの送信時間間隔（ＴＴＩ）において複数の空間ストリームを介して同時に受信するデータが「複数の伝送ブロック（ＴＢ）」であり、
　制御部で搬送される制御情報が「複数のＴＢの各ＴＢ」のためのものであり、「各ＴＢについての変調および符号化方式（ＭＣＳ）」を含み、
　制御情報が含むＨＡＲＱ情報について、「各ＴＢについてのＨＡＲＱ情報は重複バージョン」を含み、
　データ部で搬送されるデータと、データについての巡回情報検査（ＣＲＣ）が「複数のＴＢ」と「各ＴＢについての巡回冗長検査（ＣＲＣ）」であり、
　制御情報を使用した処理の対象が「複数のＴＢ」であるように構成された回路であるのに対し、
　引用発明が備える回路は、ＭＩＭＯを前提としているものの、受信するダウンリンクデータについてＭＩＭＯに関連する事項が明示されておらず、本願発明の複数のＴＢに係る上記発明特定事項を有さず、また、引用発明において、受信するダウンリンクデータのチャネル符号化率及び変調方式がノードＢスケジューラによって決定されるものの、Ｌ１／Ｌ２制御シグナリングが「変調および符号化方式（ＭＣＳ）」を含むと明示されておらず、また、引用発明においてＬ１／Ｌ２制御シグナリングとしてハイブリッドＡＲＱ情報を受信しているものの、ＨＡＲＱ情報に「重複バージョン」を含むと明示されていない点。
第６　判断 
　ＭＩＭＯを前提とする引用発明に対して、ＭＩＭＯ環境上で動作し、１つのＴＴＩの間、多数の伝送アンテナを介して同時に伝送される、複数のストリームを受信する上記第４　３（３）で認定した公知技術は、共通する技術分野に属するといえる。
　してみると、引用発明に、共通する技術分野に属する「各伝送ブロックにＣＲＣが付加された複数の伝送ブロックの各伝送ブロックに対応した複数のストリームを受信する」公知技術を適用し、
　引用発明が備える回路が、１つの送信時間間隔（ＴＴＩ）において複数の空間ストリームを介して同時に受信するデータを「複数の伝送ブロック（ＴＢ）」とし、
　制御部で搬送される制御情報を「複数のＴＢの各ＴＢ」のためのものとし、
　データ部で搬送されるデータと、データについての巡回情報検査（ＣＲＣ）を「複数のＴＢ」と「各ＴＢについての巡回冗長検査（ＣＲＣ）」とし、
　制御情報を使用した処理の対象を「複数のＴＢ」とするように構成された回路とすることは当業者が容易に想到し得る事項といえる。
　また、上記第４　４（５）で認定したように、制御情報に変調及び符号化方式（ＭＣＳ）を含めること、及び、制御情報のＨＡＲＱ情報として重複バージョンを含めることはいずれも当業者が任意に採用し得る周知事項であるから、引用発明に公知技術を適用し、１つの送信時間間隔（ＴＴＩ）において複数の空間ストリームを介して複数の伝送ブロック（ＴＢ）が同時に受信されるようにする際に、制御部で搬送される制御情報に「各ＴＢについての変調および符号化方式（ＭＣＳ）」を含め、制御情報が含むＨＡＲＱ情報について、「各ＴＢについてのＨＡＲＱ情報は重複バージョン」を含むようにすることは、当業者が適宜なし得る事項といえる。
　したがって、本願発明は、引用発明、並びに、公知技術、及び周知事項に基づいて、当業者が容易に発明をすることができたものといえる。
第７　むすび
　以上のとおり、本願発明は、その出願前に日本国内又は外国において、頒布された刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　したがって、本願は、他の請求項について検討するまでもなく拒絶すべきものである。
　よって、結論のとおり審決する。